(57)【要約】【課題】簡単に外壁にデザインを形成することできる外壁構造を提供することを目的としている。【解決手段】建物の外壁面に複数の外装材が貼り付けられてなる外壁構造であって、複数の外装材１…のうちのいずれか一つ或いは複数の外装材１Ｂ…が、他の外装材１Ａ…に対して傾斜するように意図的に角度を付けて設けられている。【選択図】図１
2007309002.tif 000002
【特許請求の範囲】
【請求項１】
建物の外壁面に複数の外装材が貼り付けられてなる外壁構造であって、
複数の外装材のうちのいずれか一つ或いは複数の外装材が、他の外装材に対して傾斜するように意図的に角度を付けて設けられていることを特徴とする外壁構造。
【請求項２】
請求項１記載の外壁構造において、
前記角度をθとすると、tanθが１／１０〜１／３の範囲内になっていることを特徴とする外壁構造。
【請求項３】
請求項１または２記載の外壁構造において、
外装材の表面に、凹凸を連続的に設けた幾何学的な立体模様が形成されていることを特徴とする外壁構造。
【発明の詳細な説明】
【技術分野】
【０００１】
本発明は、外装材を用いた外壁構造に関する。
【背景技術】
【０００２】
建物の外壁構造として、外壁面にタイル等の外装材を貼り付けるものがある。この外壁構造をデザインする場合、従来、外装材の表面に塗装を施して当該塗装によってデザインを形成する方法と、素材（色彩や材質）が異なる外装材をデザインに基づいて配設してデザインを形成する方法とがある。
【０００３】
また、従来、建物の外壁面にデザインが印刷されたスクリーンを配置して外壁面をデザインする技術もある（例えば、特許文献１参照。）。さらに、従来、建物の外壁に液晶ディスプレイを装着させて外壁面にデザインを形成する技術もある（例えば、特許文献２参照。）。
【特許文献１】特開２００３−２５３９７８号公報
【特許文献２】特開２０００−１３２１２３号公報
【発明の開示】
【発明が解決しようとする課題】
【０００４】
しかしながら、外装材に塗装を施して外壁をデザインする上記した従来の技術では、建物外壁面に外装材を貼り付けた後に塗装を施す必要があるため、塗装範囲が大面積である場合に色むらが無いように塗るのは困難であるという問題がある。
また、素材の異なる外装材を貼り付けて外壁をデザインする上記した従来の技術では、異なる素材の外装材ごとに施工する必要があり、外装材の貼り付け作業が煩雑になるという問題がある。
さらに、上記したスクリーンや液晶ディスプレイを用いる従来の技術では、スクリーンや液晶ディスプレイ及びその周辺機器の設置に手間がかかるという問題がある。
【０００５】
本発明は、上記した従来の問題が考慮されたものであり、簡単に外壁にデザインを形成することができる外壁構造を提供することを目的としている。
【課題を解決するための手段】
【０００６】
請求項１記載の発明は、建物の外壁面に複数の外装材が貼り付けられてなる外壁構造であって、複数の外装材のうちのいずれか一つ或いは複数の外装材が、他の外装材に対して傾斜するように意図的に角度を付けて設けられていることを特徴としている。
【０００７】
このような特徴により、傾斜した外装材と他の外装材とによって反射された光の反射角度の違いにより干渉作用が生じて特定の色の波長が強調される。この光の干渉作用により、傾斜した外装材の色調が他の外装材の色調と比べて大きく変化し、傾斜した外装材の色調と他の外装材の色調とが異なった色に見える。
【０００８】
請求項２記載の発明は、請求項１記載の外壁構造において、前記角度をθとすると、tanθが１／１０〜１／３の範囲内になっていることを特徴としている。
【０００９】
このような特徴により、傾斜した外装材の色調が他の外装材の色調と比べて明確に変化し、外壁にデザインがはっきりと形成される。
【００１０】
請求項３記載の発明は、請求項１または２記載の外壁構造において、前記外装材の表面に、凹凸を連続的に設けた幾何学的な立体模様が形成されていることを特徴としている。
【００１１】
このような特徴により、幾何学的な立体模様の各面によって反射された光の反射角度の違いにより干渉作用が生じて特定の色の波長が強調される。この光の干渉作用により、外壁を見る角度によって異なった色に見える。これにより、見る場所（視点）によって外装材の表面の色調が変化する。
【発明の効果】
【００１２】
本発明に係る外壁構造によれば、傾斜した外装材によって外壁にデザインが施され、魅力的なファサードデザインを創造することできる。また、本発明に係る外壁構造では、同一素材の外装材を貼り付けるため、手間がかからず簡単に施工できる。
【発明を実施するための最良の形態】
【００１３】
以下、本発明に係る外壁構造の実施の形態について、図面に基いて説明する。
【００１４】
図１は外壁構造を表す斜視図である。
図１に示すように、外壁構造は、外壁面に複数の外装材１…を貼り付けた構成からなる。具体的には、複数の板状の外装材１…が、外壁面に一定の秩序をもって貼り付けられており、複数の外装材１…で外壁面を被覆した構成になっている。なお、外装材１は、反射率の高い外装材であり、例えば、矩形（図１では正四角形）の外装パネルや外壁タイル等からなり、アルミニウム製や陶磁器製等の部材である。
【００１５】
図２は外壁構造を表す断面図である。
図１，図２に示すように、複数の外装材１…は、それぞれ同一素材からなるものであるが、その貼り付け角度によって、第１外装材１Ａ…と第２外装材１Ｂ…とに分けられる。具体的には、第１外装材１Ａ…は、外装材貼り付け面Ｗに対して平行に配設されたものであり、一方、第２外装材１Ｂ…は、外装材貼り付け面Ｗに対して所定の傾斜角度θだけ鉛直方向に傾けて配設されたものである。つまり、第２外装材１Ｂ…は、第１外装材１Ａ…に対して傾斜するように意図的に角度（傾斜角度θ）を付けて設けられており、第１外装材１Ａ…の表面と第２外装材１Ｂ…の表面とは、異なった方向に向けられている。
【００１６】
また、上記した第１，第２外装材１Ａ…，１Ｂ…によって外壁にデザインが形成されている。例えば、模様や図形、文字等を形成するように複数の第２外装材１Ｂ…を並べることで、第１外装材１Ａ…からなる壁面に第２外装材１Ｂ…からなる模様等が浮き出される。なお、複数の第１外装材１Ａ…を模様等を形成するように配設させ、第２外装材１Ｂ…からなる壁面に第１外装材１Ａ…からなる模様等が浮き彫りされる構成でもよい。
【００１７】
図３は外装材１の貼り付け状態を表す拡大断面図である。
図３に示すように、第２外装材１Ｂ…の傾斜角度θは、第１外装材１Ａ…と比較して色調が明確に変化する程度の角度であり、具体的には、tanθ（ａ／ｂ）が１／１０〜１／３の範囲内になるような角度である。また、第２外装材１Ｂ…の傾斜角度θは、tanθ（ａ／ｂ）が１／５になるような角度であることが好ましい。
【００１８】
次に、上記した構成からなる外壁構造の作用について説明する。
第１外装材１Ａ…と第２外装材１Ｂ…とは、各々の表面が異なった方向に向けられているため、それぞれ異なった方向に光を反射させる。そして、異なった方向にそれぞれ反射された光同士は干渉し、特定の色の波長が強調される結果となる。このような光の干渉作用により、第２外装材１Ｂ…の色調が第１外装材１Ａ…の色調と比べて大きく変化し、第１外装材１Ａ…と第２外装材１Ｂ…とは異なった色に見える。
【００１９】
上記した構成からなる外壁構造によれば、複数の外装材１…のうちのいずれか複数の外装材（第２外装材１Ｂ…）が、第１外装材１Ａ…に対して傾斜するように意図的に角度θを付けて設けられた構成からなり、光の干渉作用により、第１外装材１Ａ…と第２外装材１Ｂ…とは異なった色に見えるため、これらの第１外装材１Ａ…と第２外装材１Ｂ…とによってデザインが形成される。これによって、傾斜した第２外装材１Ｂ…によって外壁にデザインが施され、魅力的なファサードデザインを創造することできる。また、上記した外壁構造では、同一素材の外装材１Ａ…，１Ｂ…を貼り付けるため、手間がかからず簡単に施工できる。
【００２０】
また、上記した構成からなる外壁構造によれば、第２外装材１Ｂ…の傾斜角度をθとすると、tanθが１／１０〜１／３の範囲内になっているため、傾斜した第２外装材１Ｂ…の色調が第１外装材１Ａ…の色調と比べて明確に変化し、外壁にデザインがはっきりと形成される。これによって、はっきりしたファサードデザインを創造することできる。
【００２１】
以上、本発明に係る外壁構造の実施の形態について説明したが、本発明は上記した実施の形態に限定されるものではなく、その趣旨を逸脱しない範囲で適宜変更可能である。例えば、上記した実施の形態では、表面がフラットな外装材１が用いられているが、本発明は、図４に示すように、外装材１の表面に、凹凸を連続的に設けた幾何学的な立体模様２が形成されてもよい。これによって、光の干渉作用によって、見る場所によって色調が変化する幾何学的なデザインの外壁となり、魅力的なファサードデザインを創造することできる。
【００２２】
また、上記した立体模様２は、その凹凸ピッチαが外装材１の長さ寸法Ｌの１／１０〜１／１００のピッチであって、その凹凸深さ寸法Ｈが凹凸ピッチαの１／５であることが好ましい。これによって、色調がはっきりと変化するファサードデザインを創造することできる。
【００２３】
また、上記した立体模様２の各面のうちの少なくとも一面２ａ…が、他の面２ｂ…と異なった色調が施されていることが好ましい。これによって、外壁を見る角度により見える面（色）の比率が異なり、見る場所（視点）によって外装材１の表面の色調が変化されるため、さらに魅力的なファサードデザインを創造することできる。
【００２４】
なお、図４では、立体模様２は、断面三角形の山形部３…が連続的に設けられた構成になっているが、図５（ａ）に示すように、曲線的な波形の凹凸からなる立体模様２’ものであってもよく、或いは、図５（ｂ）に示すように、断面矩形の凸部３ａ”と凹部３ｂ”とを交互に連設した構成の立体模様２”であってもよい。
【００２５】
また、上記した立体模様２は、外壁面に貼り付けられる全ての外装材１…の表面にそれぞれ形成されていてもよく、或いは、貼り付けられる複数の外装材１…のうちの一部の外装材１の表面に上記した立体模様２が形成されていてもよい。また、外装材１の表面全体に立体模様２が形成されていてもよく、或いは、外装材１の表面のうちの一部に立体模様２が形成されていてもよい。
【００２６】
また、上記した実施の形態では、第２外装材１Ｂ…が鉛直方向に傾けられた状態になっているが、本発明は、図６に示すように、第２外装材１Ｂ’…（傾斜した外装材）が水平方向に傾けられた状態で配設されていてもよい。
【００２７】
また、上記した実施の形態では、複数の外装材（第２外装材１Ｂ…）が傾斜して設けられているが、本発明は、一つの外装材だけが傾斜して設けられていてもよく、傾斜した外装材の数量に限定されるものではない。
【００２８】
また、上記した実施の形態では、外装材１として矩形板状のものを使用しているが、本発明に係る外装材は、上記した外装材１以外の構成のものでもよく、例えば、外装材の形状は長方形や三角形等であってもよい。
【００２９】
また、上記した実施の形態では、第２外装材１Ｂ…の傾斜角度をθとすると、tanθが１／１０〜１／３の範囲内になっているが、本発明は、傾斜する外装材の角度が、上記した実施の形態に示された角度以外になっていてもよく、例えば、外装材の角度をθとしたとき、tanθが１／１０より小さくなってもよく、或いはtanθが１／３よりも大きくなってもよい。
【００３０】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００３１】
【図１】本発明に係る実施の形態を説明するための外壁構造の斜視図である。
【図２】本発明に係る実施の形態を説明するための外壁構造の断面図である。
【図３】本発明に係る実施の形態を説明するための外装材の断面図である。
【図４】本発明に係る他の実施の形態を説明するための外装材の断面図である。
【図５】本発明に係る他の実施の形態を説明するための外装材の断面図である。
【図６】本発明に係る実施の形態を説明するための外壁構造の斜視図である。
【符号の説明】
【００３２】
１  外装材
１Ａ  第１外装材（外装材）
１Ｂ，１Ｂ’  第２外装材（外装材）
２，２’，２”  立体模様
【図１】
2007309002.tif 000003
【図２】
2007309002.tif 000004
【図３】
2007309002.tif 000005
【図４】
2007309002.tif 000006
【図５】
2007309002.tif 000007
【図６】
2007309002.tif 000008